(57)【特許請求の範囲】
【請求項１】
カード体が挿入されるカード体挿入部を有するハウジングと、前記カード体挿入部内に突出して前記カード体の片面側に配置された信号端子と接触する複数のコンタクトと、一端を前記ハウジングのカード体挿入方向手前側部に支持させ、他端側に所定の挿入位置において前記カード体に形成された係止部と互いに係合する係合凸部が形成されてなるカード体挿入方向に向けた弾性支持片部を有する弾性保持部材とを備え、前記カード体に所定の引き出し力を超える力を作用させることにより前記弾性保持部材と前記係止部との係合状態が解除されるようにしてなるカードコネクタにおいて、
前記弾性保持部材は、弾性を有する導電性金属材をもって構成されるとともに、一端を前記係合凸部に支持させ、他端に可動接点が形成された弾性接触片部を一体に備え、前記ハウジング内に前記弾性接触片部と互いに対向するように配置された固定接点部材と共にディレイスイッチを構成し、
前記カード体に引き出し力が作用した際に、前記係合凸部が前記カード体の係止部による押圧力に抗して撓むことに伴って前記弾性接触片部が移動し、前記可動接点が前記固定接点部材と接触又は離反し、前記ディレイスイッチのオン・オフ動作がなされるようにしたことを特徴としてなるカードコネクタ。
【請求項２】
前記カード体挿入部の奥側に操作側スイッチコンタクト及び被操作側スイッチコンタクトからなるタイミングスイッチを備え、前記操作側スイッチコンタクトが前記カード体の縁部と接触することにより前記被操作側スイッチコンタクトと接触又は離反するようにしてなる請求項１に記載のカードコネクタ。
【請求項３】
前記ハウジングは、絶縁性合成樹脂材によってモールド成形された上面側が開口したモールドケースと、該モールドケースの上面部を覆う天板部を有する導電性金属材からなるシールドカバーとを組み合わせて形成され、
前記弾性保持部材は、前記天板部を切り出し・折り曲げ加工することにより形成され、前記シールドカバーをモールドケースに組み込むことにより、前記弾性保持部材がカード体挿入部の両側部にカード体挿入方向に向けて配置されるとともに、前記シールドカバーにプリント配線基板に接続させる接続端子部を備えた請求項１又は２に記載のカードコネクタ。
【請求項４】
前記カード体は、メモリーカードが収容されるトレイ本体と、該トレイ本体のカード体挿入方向手前側端部に引き出し可能に接合させたスライド摘みと、所定の引き出し位置で前記スライド摘みに作用するトレイ引き出し方向の力を前記トレイ本体に伝達する伝達手段とを備え、前記所定の引き出し位置まで引き出したスライド摘みを摘まんで前記カード体を前記ハウジングより引き出せるようにした請求項１、２又は３に記載のカードコネクタ。
【発明の詳細な説明】
【技術分野】
【０００１】
本発明は、ＩＣカードやフラッシュメモリーカード等のメモリーカードと携帯電話機やスマートフォン等の電子機器に搭載されたプリント配線基板とを電気的に接続するカードコネクタに関する。
【背景技術】
【０００２】
従来、この種のカードコネクタにおいては、メモリーカードを収容したカードコネクタ等のカード体をハウジングに出し入れする際、カード体が挿入されるカード体挿入部内に露出している信号伝達用のコンタクトを非活線状態とするために、カード体が挿入されるカード体挿入部の奥側に、カードの信号端子に対するコンタクトの接触タイミングに合わせてオン・オフ動作するタイミングスイッチが備えられている（例えば、特許文献１）。
【０００３】
このタイミングスイッチは、カード体挿入部の奥部に設けられており、カード挿入部の奥部側にコネクタ幅方向に向けて配置した操作側スイッチコンタクトと、その内側に配置した固定側スイッチコンタクトとから構成されており、カード体の挿入によって操作側スイッチコンタクトが押されて一方の端部を基点に回動し、他端側に配置された接点部が固定側スイッチコンタクトに接触又は離反することによってオン状態又はオフ状態となるようにしている。
【０００４】
一方、この種のカードコネクタでは、カード体挿入部よりカード体を排出する際、カード体を把持して手動で引き出す構造のものや、ハウジングのカード挿抜方向奥側に回動可能に支持された押出アームを備え、プッシュピンで押出しアームの一方の端部を押し込むことにより押出アームを回動させ、アームの他端側でカード体の奥側縁を排出方向に押し出すようにしたもの等、カード体が所定の挿入位置から一挙動でハウジングより排出されるようにした構造のものが知られている（例えば、特許文献２を参照）。
【先行技術文献】
【特許文献】
【０００５】
【特許文献１】特開２００２−１００４４０号公報
【特許文献２】特開平１０−１８９１３９号公報
【発明の概要】
【発明が解決しようとする課題】
【０００６】
しかしながら、上述の如き従来のカードコネクタでは、ハウジングよりカード体等のカード体を引き出す際に、カード体が一挙動でハウジングより取出される構造であると、タイミングスイッチのオン・オフ動作のタイミングがカード体の信号端子に対するコンタクトの離脱タイミングと同時になされなければならず、タイミングスイッチの動作が信号伝達用コンタクトの離脱タイミングより少しでも遅れると、カードとプリント配線基板とが未だ活線状態にあるにも関わらず、カードが取出されてしまい、カードに記憶された情報が消えてしまう等の障害が生じる虞があった。
【０００７】
そこで、本発明は、このような従来の問題に鑑み、カード体をハウジングより引き出す動作を早い段階で検知することができるカードコネクタの提供を目的としてなされたものである。
【課題を解決するための手段】
【０００８】
上述の如き従来の問題を解決し、所期の目的を達成するための請求項1に記載の発明の特徴は、カード体が挿入されるカード体挿入部を有するハウジングと、前記カード体挿入部内に突出して前記カード体の片面側に配置された信号端子と接触する複数のコンタクトと、一端を前記ハウジングのカード体挿入方向手前側部に支持させ、他端側に所定の挿入位置において前記カード体に形成された係止部と互いに係合する係合凸部が形成されてなるカード体挿入方向に向けた弾性支持片部を有する弾性保持部材とを備え、前記カード体に所定の引き出し力を超える力を作用させることにより前記弾性保持部材と前記係止部との係合状態が解除されるようにしてなるカードコネクタにおいて、前記弾性保持部材は、弾性を有する導電性金属材をもって構成されるとともに、一端を前記係合凸部に支持させ、他端に可動接点が形成された弾性接触片部を一体に備え、前記ハウジング内に前記弾性接触片部と互いに対向するように配置された固定接点部材と共にディレイスイッチを構成し、前記カード体に引き出し力が作用した際に、前記係合凸部が前記カード体の係止部による押圧力に抗して撓むことに伴って前記弾性接触片部が移動し、前記可動接点が前記固定接点部材と接触又は離反し、前記ディレイスイッチのオン・オフ動作がなされるようにしたことにある。
【０００９】
請求項２に記載の発明の特徴は、請求項１の構成に加え、前記カード体挿入部の奥側に操作側スイッチコンタクト及び被操作側スイッチコンタクトからなるタイミングスイッチを備え、前記操作側スイッチコンタクトが前記カード体の縁部と接触することにより前記被操作側スイッチコンタクトと接触又は離反するようにしたことにある。
【００１０】
請求項３に記載の発明の特徴は、請求項１又は２の構成に加え、前記ハウジングは、絶縁性合成樹脂材によってモールド成形された上面側が開口したモールドケースと、該モールドケースの上面部を覆う天板部を有する導電性金属材からなるシールドカバーとを組み合わせて形成され、前記弾性保持部材は、前記天板部を切り出し・折り曲げ加工することにより形成され、前記シールドカバーをモールドケースに組み込むことにより、前記弾性保持部材がカード体挿入部の両側部にカード体挿入方向に向けて配置されるとともに、前記シールドカバーにプリント配線基板に接続させる接続端子部を備えたことにある。
【００１１】
請求項４に記載の発明の特徴は、請求項１、２又は３の構成に加え、前記カード体は、メモリーカードが収容されるトレイ本体と、該トレイ本体のカード体挿入方向手前側端部に引き出し可能に接合させたスライド摘みと、所定の引き出し位置で前記スライド摘みに作用するトレイ引き出し方向の力を前記トレイ本体に伝達する伝達手段とを備え、前記所定の引き出し位置まで引き出したスライド摘みを摘まんで前記カード体を前記ハウジングより引き出せるようにしたことにある。
【発明の効果】
【００１２】
本発明に係るカードコネクタは、上述したように、カード体が挿入されるカード体挿入部を有するハウジングと、前記カード体挿入部内に突出して前記カード体の片面側に配置された信号端子と接触する複数のコンタクトと、一端を前記ハウジングのカード体挿入方向手前側部に支持させ、他端側に所定の挿入位置において前記カード体に形成された係止部と互いに係合する係合凸部が形成されてなるカード体挿入方向に向けた弾性支持片部を有する弾性保持部材とを備え、前記カード体に所定の引き出し力を超える力を作用させることにより前記弾性保持部材と前記係止部との係合状態が解除されるようにしてなるカードコネクタにおいて、前記弾性保持部材は、弾性を有する導電性金属材をもって構成されるとともに、一端を前記係合凸部に支持させ、他端に可動接点が形成された弾性接触片部を一体に備え、前記ハウジング内に前記弾性接触片部と互いに対向するように配置された固定接点部材と共にディレイスイッチを構成し、前記カード体に引き出し力が作用した際に、前記係合凸部が前記カード体の係止部による押圧力に抗して撓むことに伴って前記弾性接触片部が移動し、前記可動接点が前記固定接点部材と接触又は離反し、前記ディレイスイッチのオン・オフ動作がなされるようにしたことにより、カード体を引き出す動作を早い段階で検出することができる。
【００１３】
また、本発明において、前記カード体挿入部の奥側に操作側スイッチコンタクト及び被操作側スイッチコンタクトからなるタイミングスイッチを備え、前記操作側スイッチコンタクトが前記カード体の縁部と接触することにより前記被操作側スイッチコンタクトと接触又は離反するようにしたことにより、ディレイスイッチと組み合わせて、時間的余裕をもってカード体の引き出しタイミングを検知することができる。
【００１４】
更に本発明において、前記ハウジングは、絶縁性合成樹脂材によってモールド成形された上面側が開口したモールドケースと、該モールドケースの上面部を覆う天板部を有する導電性金属材からなるシールドカバーとを組み合わせて形成され、前記弾性保持部材は、前記天板部を切り出し・折り曲げ加工することにより形成され、前記シールドカバーをモールドケースに組み込むことにより、前記弾性保持部材がカード体挿入部の両側部にカード体挿入方向に向けて配置されるとともに、前記シールドカバーにプリント配線基板に接続させる接続端子部を備えたことにより、部品点数が少なく安価である。
【００１５】
更にまた、本発明において、前記カード体は、メモリーカードが収容されるトレイ本体と、該トレイ本体のカード体挿入方向手前側端部に引き出し可能に接合させたスライド摘みと、所定の引き出し位置で前記スライド摘みに作用するトレイ引き出し方向の力を前記トレイ本体に伝達する伝達手段とを備え、前記所定の引き出し位置まで引き出したスライド摘みを摘まんで前記カード体を前記ハウジングより引き出せるようにしたことにより、カード体に作用する引き出し力が段階的に作用するので、ディレイスイッチで引き出し動作をより明確に検知することができる。
【図面の簡単な説明】
【００１６】
【図１】（ａ）本発明に係るカードコネクタの一例を示す平面図、（ｂ）は同底面図である。
【図２】同上の縦断面図である。
【図３】同上のカードコネクタの分解斜視図である。
【図４】図１中のハウジングのシールドカバー天板部を取り除いた状態の平面図である。
【図５】図５中のコンタクト、固定接点部材及び被操作側スイッチコンタクトの配置の概略を示す斜視図である。
【図６】メモリーカードの一例を示す底面図である。
【図７】（ａ）は図１中のカードトレイを示す底面図、（ｂ）は同縦断面図である。
【図８】（ａ）〜（ｃ）は本発明に係るカードコネクタのカード体引き出し動作及び各スイッチの状態を説明するためのハウジングのシールドカバー天板部を取り除いた状態の平面図である。
【図９】（ｄ）〜（ｅ）は同上のハウジングのシールドカバー天板部を取り除いた状態の平面図である。
【図１０】図８（ｂ）に示すディレイスイッチの状態を説明するためのハウジングのシールドカバー天板部を取り除いた状態の平面図である。
【発明を実施するための形態】
【００１７】
次に、本発明に係るカードコネクタの実施の態様を図１〜図１０に示した実施例に基づいて説明する。尚、図中符号１０はカードコネクタ、符号はカードトレイ１１にメモリーカードＡを収容させたカード体Ｅである。
【００１８】
カードコネクタ１０は、カード体Ｅが挿入されるカード体挿入部１２を有するハウジング１３と、カード体挿入部１２内に突出してカード体Ｅの片面に配置された信号端子ａ１，ａ１...と接触する複数のコンタクト１４，１４...とを備え、カード体Ｅをカード体挿入部１２に挿入することによりカード体Ｅの片面に配置された信号端子ａ１，ａ１...がコンタクト１４，１４...と弾性的に接触し、カード体Ｅとプリント配線基板とがカードコネクタ１０を介して電気的に接続されるようになっている。
【００１９】
このカードコネクタ１０は、ハウジング１３のカード体挿入部１２の両側部にカード体挿入方向に向けて配置された一対の弾性保持部材２４，２４を備え、所定の挿入位置において弾性保持部材２４に形成された係合凸部８０とカード体Ｅ側部に形成された係止部８１とが係合することにより、所定の挿入位置でカード体Ｅがハウジング１３に保持され、且つカード体Ｅに所定の引き出し力を超える力を作用させることにより弾性保持部材２４の係合凸部８０とカード体Ｅの係止部８１との係合状態が解除されてハウジング１３よりカード体Ｅを引き出せるようになっている。
【００２０】
ここで所定の引き出し力とは、弾性保持部材２４のカード体Ｅに対する保持力を上回る力であって、弾性保持部材２４のバネ定数等によって定められる力をいう。
【００２１】
また、この弾性保持部材２４は、弾性を有する導電性金属材をもって構成され、カード体挿入部１２の両側部に配置された固定接点部材８２と共にディレイスイッチ８３を構成するようになっている。
【００２２】
ハウジング１３は、絶縁性合成樹脂材によってモールド成形されたモールドケース３１と、その上面及び側面を覆うように組み込まれたシールドカバー３２とから構成されており、モールドケース３１の上面にカード体挿入部１２がモールドケース３１の上面を凹ませた形状に形成され、その上面部をシールドカバー３２によって覆っている。
【００２３】
モールドケース３１には、図５に示すように配置させたコンタクト１４，１４...、被操作側スイッチコンタクト８４及び固定接点部材８２，８２がインサート成形によりモールドケース３１に一体的に組み込まれ、カード体挿入部１２のトレイ挿入方向奥側にメモリーカードＡの片面に配置された信号端子ａ１，ａ１...と接触する複数のコンタクト１４，１４...がコネクタ幅方向に間隔を置いた平行配置に備えられ、カード体挿入部１２のコネクタ幅方向両側部にディレイスイッチ８３を構成する一対の固定接点部材８２，８２が対称配置に備えられる。
【００２４】
尚、図中符号３３は、カード体挿入部１２底部のトレイ挿入方向奥側に底板厚み方向に貫通したトレイ幅方向に長い形状に形成された横向き回避窓である。
【００２５】
また、このモールドケース３１には、カード体挿入部１２の奥部に、カード体Ｅの押し込み動作により操作される操作片部８５ａを有する操作側スイッチコンタクト８５を備え、このタイミング用操作側スイッチコンタクト８５と被操作側スイッチコンタクト８４とをもってタイミングスイッチ８６が構成されている。
【００２６】
操作側スイッチコンタクト８５は、導電性金属材を打ち抜き・折り曲げ加工することにより形成され、モールドケース３１の奥側壁部に形成された支持収容溝８７に圧入させたコネクタ幅方向に向けた支持部８５ｂと、支持部８５ｂの一端よりカード体Ｅ挿抜方向手前側に向けて傾斜した形状の可動接触片部８５ｃと、可動接触片部８５ｃの先端よりカード体Ｅ引き出し方向に向けて膨出した形状の操作片部８５ａと、支持部８５ｂの下縁よりカード体挿入方向側に折り曲げた形状の接続端子部８５ｄとを一体に備え、接続端子部８５ｄがプリント配線基板に形成された接続パターンに半田付けされるようになっている。
【００２７】
被操作側スイッチコンタクト８４は、導電性金属材を打ち抜き・折り曲げ加工することにより形成され、接地用端子部８４ａを介してアース接続させる本体部８４ｂの側縁より上向きに折り曲げた形状の固定接点端子８４ｃを備えている。
【００２８】
このタイミングスイッチ８６は、カード体挿入部１２にカード体Ｅが挿入された場合、カード体挿入部１２内に突出させた操作片部８５ａがカード体Ｅの挿入方向奥側縁部に押圧され、それに連動して可動接触片部８５ｃが回動して被操作側スイッチコンタクト８４の固定接点端子８４ｃより離反してオフ状態となり、カード体挿入部１２よりカード体Ｅが引き出されると、可動接触片部８５ｃが弾性復帰して固定接点端子８４ｃと接触してオン状態となるようになっている。
【００２９】
固定接点部材８２は、導電性金属材を打ち抜き・折り曲げ加工することにより形成され、インサート成形によりモールドケース３１に埋設されるカード体挿入方向に向けた細長板状の部材本体部９０と、部材本体部９０の側縁より上向きに折り曲げた形状の固定接点９１と、部材本体部９０のカード体挿入方向奥側に連続して配置され、プリント配線基板に形成された端子パターンに半田付けされる接続端子９２とを備え、インサート成形により固定接点９１がトレイ体挿入部１２の奥部両内側面部に露出されるようにモールドケース３１に組み込まれている。
【００３０】
一方、固定接点部材８２とともにディレイスイッチ８３を構成する弾性保持部材２４は、シールドカバー３２と一体に形成され、シールドカバー３２をモールドケース３１に組み込むことによりカード体挿入部１２の両側部、且つ固定接点部材８２の内側に、固定接点部材８２と互いに対向するように配置されている。
【００３１】
シールドカバー３２は、導電性金属板材を打ち抜き・折り曲げ加工することにより形成され、平板状の天板部３５と、天板部３５の両側部をモールドケース３１側に向けて折り曲げた形状の側板部３６，３６と、プリント配線基板に形成されたグランドパターンに半田付けされるグランド接続端子９３，９３とを一体に備えている。
【００３２】
天板部３５の両側部には、切り出し・折り曲げ加工によりトレイ挿入方向に向けた弾性保持部材２４，２４が形成され、シールドカバー３２をモールドケース３１に組み込むことにより、弾性を有する導電性金属材をもって構成された両弾性保持部材２４，２４がカード体挿入部１２の両側部にカード体挿入方向に向けて配置されるようになっている。
【００３３】
この弾性保持部材２４は、天板部３５を構成する板材を、折り目部２４ｂを残してトレイ挿抜方向に長い細長板状に切り出すとともにプレス加工を施し、更にそれを折り目部２４ｂよりハウジング１３内部側に折り曲げることにより、一端をシールドカバー３２のカード体挿入方向手前側部に折り目部２４ｂを介して支持させた弾性支持片部９４と、弾性支持片部９４の他端側に配置された係合凸部８０と、係合凸部８０の他端側に連続して配置された可動接触片部９５とを一体に備えている。
【００３４】
弾性支持片部９４は、折り目部２４ｂを基点にしてトレイ挿入方向奥側がコネクタ幅方向に弾性変形できるようになっている。
【００３５】
係合凸部８０は、コネクタ幅方向内側に突出した凸状、例えば、頂部をコネクタ幅方向内側に向けたく字状に形成され、カードトレイ１１がハウジング１３のカード体挿入部１２に挿入された際に、所定の挿入位置において係合凸部８０が係止部８１のカード体引き出し方向側に挿入されて係止部８１と係合凸部８０とが互いに係合するようになっている。
【００３６】
この係合凸部８０は、カード体Ｅに引き出し力が作用した際、係止部８１に押圧されて撓みつつ、カード体Ｅの引き出し方向の移動に抵抗し、抜け止めするようになっている。
【００３７】
可動接触片部９５は、一端を係合凸部８０のカード挿入方向奥側端に支持させ、他端に可動接点９６が形成された細長板状に形成されるとともに、可動接点９６側がカード体挿入方向側且つコネクタ幅方向外側に向けてやや傾斜した形状になっている。
【００３８】
可動接点９６は、コネクタ幅方向外側、即ち、固定接点部材８２側に膨出した円弧状に形成され、固定接点部材８２の固定接点９１と互いに対向し、且つコネクタ幅方向で間隔を置いた位置に配置されるようになっている。
【００３９】
また、この弾性保持部材２４は、導電性金属材からなるシールドカバー３２と一体に形成されているので、グランド接続端子９３を介してプリント配線基板等にグランド接続できるようになっている。
【００４０】
コンタクト１４，１４...は、弾性を有する導電性金属板材を打ち抜き・折り曲げ加工することにより形成され、モールドケース３１に固定される固定片部４０と、固定片部４０にカード体挿抜方向に向けて支持させた弾性接触片部４１とを一体に備えている。
【００４１】
固定片部４０は、互いに間隔を置いて配置された一対の埋設片４０ａ，４０ｂと、両埋設片４０ａ，４０ｂの互いに対向する側縁間を連結する細長板状の連結片４０ｃとをもってコ字状に形成され、両埋設片４０ａ，４０ｂがインサート成形によりモールドケース３１底部に一体的に組み込まれ、連結片４０ｃが横向き回避窓３３のトレイ挿入方向で互いに対抗する内縁面間に架け渡した配置に固定されるようになっている。
【００４２】
また、コンタクト１４には、固定片部４０の埋設片４０ｂと連続配置にトレイ挿入方向に延出した形状の接続端子片部４２が一体に形成され、この接続端子片部４２の先端部４２ａがハウジング１３底面に露出して、プリント配線基板に形成された接続パターンに半田付けにより固着されるようになっている。
【００４３】
弾性接触片部４１は、横向き回避窓３３の内縁より突出した埋設片４０ａの縁部よりコネクタ挿入方向奥側且つシールドカバー３２側に向けて傾斜した形状に形成され、その先端部に円弧状の接点部４１ａが形成されている。
【００４４】
カード体Ｅは、平板状に形成され、両側縁部に所定の挿入位置において弾性保持部材２４の係合凸部８０と互いに係合する係止部８１を備え、所定の挿入位置まで挿入されると、この係止部８１のカード体挿入方向手前側に係合凸部８０が挿入され、カード体Ｅの引き出し方向の移動が規制されるようになっている。
【００４５】
この係止部８１の引き出し方向側には、カード体Ｅ引き出し方向且つカード体Ｅ幅方向内側に向けて傾斜した形状の押圧面が形成されている。
【００４６】
このカード体Ｅは、メモリーカードＡと、メモリーカードＡが着脱可能に収容されるカードトレイ１１とをもって構成されている。
【００４７】
メモリーカードＡは、例えば、図６に示す如き小型のフラッシュメモリーカードＡであって、カード全幅に比してカード全長が長い矩形状に形成され、カード全長方向の一方の端部に他の部分に比してカード幅の狭い縮幅部Ａａを有している。
【００４８】
この縮幅部Ａａは、カード幅方向の一方に片寄せて配置され、この縮幅部Ａａの片面にカード全長方向に向けた複数の信号端子ａ１，ａ１...が互いに平行にカード幅方向に並べて配列されている。
【００４９】
また、この一方のメモリーカードＡには、カード全長方向の縮幅部Ａａとは反対側の端部に、信号端子が形成された面とは反対側に盛り上がった形状の拡厚部Ａｂが形成されている。
【００５０】
カードトレイ１１は、図７に示すように、メモリーカードＡが収容される平板状のトレイ本体２０と、トレイ本体２０のトレイ挿入方向手前側端部に引き出し可能に接合させたスライド摘み５０と、所定の引き出し位置でスライド摘み５０に作用するトレイ引き出し方向の力をトレイ本体２０に伝達する伝達手段とを備えている。
【００５１】
トレイ本体２０は、絶縁性樹脂材をもって平板状に形成され、その片面部にメモリーカードＡがその長手方向をトレイ挿入方向に向けて収容されるカード収容部２２が形成されている。
【００５２】
カード収容部２２は、メモリーカードＡの外形状に合わせてトレイ本体２０の片面部を凹ませた形状に形成され、一方のメモリーカードＡが信号端子側面を開口側に向けて収容されるようになっている。
【００５３】
即ち、カード収容部２２は、トレイ本体２０のトレイ挿入方向奥側部にメモリーカードＡの縮幅部Ａａが嵌め込まれる縮幅凹部２６と、縮幅凹部２６のトレイ挿入方向手前側に連続して配置された広幅凹部２７とを連続した配置に備えた形状に形成されている。
【００５４】
また、広幅凹部２７には、拡厚部Ａｂが嵌め込まれる拡厚部用段差部２８が他の部分より一段深い形状に形成され、メモリーカードＡが信号端子側面を開口側に向けて収容された際に、メモリーカードＡがトレイ本体２０に対しフラットな安定した状態で収容されるようになっている。
【００５５】
一方、トレイ本体２０は、両側面部に開口を外側に向けて凹んだ形状の係合凹部２５が形成されることで、トレイ本体２０両側部のカード体挿入方向奥側に係止部８１が形成され、この係合凹部２５に弾性保持部材２４の係合凸部８０が嵌り込むことにより、係止部８１のトレイ引き出し方向側に係合凸部８０が挿入され、トレイ本体２０が高い保持力をもってハウジング１３にロックされ、トレイ本体２０の引き出し方向の移動を規制できるようになっている。
【００５６】
また、トレイ本体２０のトレイ挿入方向手前側端部、即ち、スライド摘み５０との接合端部には、スライド摘み５０側に向けて開口した接合凹部５１を備え、この接合凹部５１内にスライド摘み５０に備えられた接合凸部５２が挿入されるようになっている。
【００５７】
接合凹部５１は、トレイ本体２０がそのトレイ引き出し方向側端部のトレイ幅方向に間隔を置いて形成された一対の支持部５３，５３を有することにより、トレイ本体２０のトレイ引き出し方向端部にスライド摘み５０側及び本体厚み側に開口した矩形切欠き状に形成されている。
【００５８】
両支持部５３，５３は、トレイ本体２０の他の部分の板厚に比して厚い形状に形成され、カードトレイ１１をハウジング１３に挿入した際に、支持部５３，５３のトレイ挿入方向側端面がハウジング１３の端面に当て止めされるようになっている。
【００５９】
また、この接合凹部５１には、トレイ挿入方向手前側部に、両支持部５３，５３に両端を支持させた棒状の当て止め部材５４が接合凹部５１の互いに対向する内側面間に架け渡した配置に備えられ、この当て止め部材５４が接合凸部５２に形成されたスライド孔５５に挿入されるようになっている。
【００６０】
スライド摘み５０は、絶縁性樹脂材又はゴム材等の弾性を有する素材をもって形成され、接合凹部５１内に挿入される接合凸部５２と、接合凸部５２の引き出し方向側端部に配置されたと前縁蓋部５６とを一体に備えている。
【００６１】
接合凸部５２は、厚みが支持部５３，５３と同じ又はやや薄い直方体状に形成され、そのトレイ挿入方向端部には、他の部分に比して厚みの薄い縮厚挿入部５２ａが形成されている。
【００６２】
縮厚挿入部５２ａは、トレイ本体２０の厚みと同じ又はやや薄く形成され、カードトレイ１１をハウジング１３に挿入した際に、カード体挿入部１２の開口部に嵌め込まれるようになっている。
【００６３】
また、接合凸部５２には、トレイ幅方向両端面に開口したスライド挿抜方向に長い長孔状のスライド孔５５を備え、このスライド孔５５内に当て止め部材５４が挿入されることにより、トレイ本体２０にスライド摘み５０が引き出し可能に接合されている。
【００６４】
即ち、スライド摘み５０は、通常位置、即ち、接合凸部５２を接合凹部５１のトレイ挿入方向奥側まで挿入させた位置と、所定の引き出し位置、即ちトレイ本体２０に支持された当て止め部材５４がスライド孔５５のトレイ挿入方向端部内縁５５ａに当て止めされる位置との間でスライド移動することができるようになっている。
【００６５】
また、所定の引き出し位置、即ちトレイ本体２０に支持された当て止め部材５４にスライド孔５５のトレイ挿入方向端部内縁５５ａが当て止めされる位置では、当て止め部材５４とスライド孔５５のトレイ挿入方向端部内縁５５ａとが伝達手段を構成し、スライド摘み５０にトレイ引き出し方向の力が作用すると、スライド孔５５のトレイ挿入方向端部内縁５５ａが当て止め部材５４をトレイ引き出し方向に向けて押圧し、それにより当て止め部材５４を介してトレイ本体２０にスライド摘み５０に作用するトレイ引き出し方向の力が伝達されるようになっている。
【００６６】
前縁蓋部５６は、接合凸部５２の引き出し方向側端部と一体に形成されたトレイ幅方向に長い細長板状の水平梁部５７と、水平梁部５７のトレイ引き出し方向側に配置された薄板状の蓋本体５８とを備え、カードコネクタ１０が電子機器に取り付けられた際に、この蓋本体５８のトレイ引き出し方向側表面が電子機器筐体に形成された露出孔を通して筐体外側面に露出されるようになっている。
【００６７】
蓋本体５８は、水平梁部５７のトレイ引き出し方向側端面より大きく形成され、水平梁部５７のトレイ引き出し方向側端面に片面を一体に支持させて水平梁部５７に対し鍔状に張り出した形状に形成されている。
【００６８】
この蓋本体５８の上縁部には、トレイ挿入方向側に向けて傾斜した切欠き状の引掛け部６０を備え、スライド摘み５０をトレイ本体２０から引き出す際に、蓋本体５８の縁部に人体の指の爪等が引っ掛け易いようになっている。
【００６９】
また、前縁蓋部５６の両側部、即ち、蓋本体５８のトレイ挿入方向側の水平梁部５７の両端部には、電子機器筐体に形成された露出孔の内側縁と係合する係止部材６１が一体又は一体的に備えられ、自重等により前縁蓋部５６が引き出されるのを防止するようになっている。
【００７０】
尚、この係止部材６１と露出孔内側縁との係合による保持力は、弾性保持部材２４とトレイ本体２０との係合による保持力に比して小さくなっている。
【００７１】
この係止部材６１は、外側端部が円弧状に膨らんだ形状の突出部を一体に備え、この突出部が蓋本体５８の外側縁より外側に突出するように配置されている。
【００７２】
次に、このように構成されたカードコネクタ１０のトレイ引き出し動作について図８〜図１０について説明する。
【００７３】
このカードコネクタ１０は、所定の挿入位置において、図８（ａ）に示すように、カード体Ｅがハウジング１３のトレイ挿入部１２に挿入された状態にある。
【００７４】
また、このカードコネクタ１０では、カード体Ｅがハウジング１３のカード体挿入部１２に挿入された所定の挿入位置において、タイミングスイッチ８６は、操作側スイッチコンタクト８５がカード体Ｅの挿入方向奥側縁部に押圧されて被操作側スイッチコンタクト８４の固定接点端子８４ｃより離反した位置にあってオフ状態となっており、ディレイスイッチ８３は、カード体Ｅに引き出し力が作用しておらず、弾性接触片部９５が固定接点部材８２から離反した状態にあってオフ状態となっている。
【００７５】
この状態よりカードトレイ１１を引き出すには、まず、図８（ａ）〜（ｂ）に示すように、蓋本体５８の上縁部に指の爪を引っ掛け、その状態でスライド摘み５０をトレイ引き出し方向に引っ張る。
【００７６】
この状態からスライド摘み５０をトレイ引き出し方向に引っ張ると、トレイ本体２０は、係止部８１が弾性保持部材２４の係合凸部８０と互いに係合してハウジング１３に高い保持力で保持されているとともに、トレイ本体２０に対しスライド摘み５０が引き出し可能な状態にあるので、スライド摘み５０のみが小さな引き出し力で引き出される。
【００７７】
そして、スライド摘み５０を当て止め部材５４にガイドさせつつスライド移動させ、所定の引き出し位置、即ち、２本の指で摘むのに十分な摘み代が確保される位置まで引き出すと、スライド孔５５のトレイ挿入方向側端内縁が当て止め部材５４に当て止めされ、伝達手段を介してカード体Ｅに引き出し力が作用する。
【００７８】
このとき、カード体Ｅには、図８（ｂ）及び図１０に示すように、係合凸部８０がカード体Ｅの係止部８１に押圧されてカード体Ｅ引き出し方向で撓む一方、弾性保持部材２４の弾性による抵抗力がカード体Ｅに係止部８１を介して伝達され、カード体Ｅが抜け止めされる。
【００７９】
一方、係合凸部８０がカード体Ｅの係止部８１に押圧されて撓むことに伴って弾性接触片部９５が固定接点部材８２側に移動して可動接点９６が固定接点部材８２に接触し、ディレイスイッチ８３がオン状態となるが、タイミングスイッチ８６は、カード体Ｅが抜け止めされた状態で略移動しないのでオフ状態が維持される。
【００８０】
これにより、タイミングスイッチ８６がカード体Ｅの引き出しを検知する前の段階で引き出し動作の開始を検知することができる。即ち、カード体Ｅに作用した引き出し力に対して弾性保持部材２４の弾性により抵抗している間だけタイミングスイッチ８６の切り替えに時間の余裕が生まれる。
【００８１】
そして、この状態から更にスライド摘み５０に力を加え、所定の引き出し力を超える力、即ち、トレイ本体２０のハウジング１３に対する保持力を上回る力を作用させると、図８（ｃ）に示すように、カード体Ｅの係止部８１に押圧されて係合凸部８０が外側に押し出されて係合状態が解除されるとともにカード体Ｅが引き出される。
【００８２】
そして、カード体Ｅの引き出し動作に伴って、操作側スイッチコンタクト８５が弾性復帰し、所定の位置までカード体Ｅが引き出されると操作側スイッチコンタクト８５が被操作側スイッチコンタクト８４と接触してタイミングスイッチ８６がオン状態となる。
【００８３】
このときディレイスイッチ８３は、係合凸部８０がカード体Ｅの両側縁部に押圧されて弾性保持部材２４全体を押し広げた状態となり可動接点９６が固定接点９１と接触してオン状態が維持されている。
【００８４】
更にカード体Ｅを引き出すと、係合凸部８０に対するカード体Ｅの押圧が解除されて弾性保持部材２４が弾性復帰し、それに連動して可動接点９６が固定接点９１より離反してディレイスイッチ８３がオフ状態となる。
【００８５】
尚、上述の実施例では、カード体Ｅをカードトレイにメモリーカードを収容させたものとした例について説明したが、カード体Ｅはメモリーカード単体であってもよい。
【００８６】
また、上述の実施例では、カードトレイ１１にスライド摘みを備え、このスライド摘みを摘まんでカードトレイを引き出すようにした例について説明したが、スライド摘みを設けずに直接カードトレイを引き出せるようにしてもよく、また、ハウジングのカード挿抜方向奥側に回動可能に支持された押出アームを備え、プッシュピンで押出しアームの一方の端部を押し込むことにより押出アームを回動させ、アームの他端側でカード体Ｅの奥側縁を排出方向に押し出すようにしたものであってもよい。
【００８７】
更には、上述の実施例では、シールドカバーに弾性保持部材２４を一体に備えた例について説明したが、シールドカバーと弾性保持部材２４とを別体とし、弾性保持部材２４をモールドケースに保持させるようにしてもよい。その場合には、弾性保持部材２４にプリント配線基板のグランドパターン等に半田付けされる接続端子片部を一体に備えるようにする。
【００８８】
また、上述の実施例では、弾性保持部材２４，２４をカード体挿入部１２の両側部に備えた例について説明したが、弾性保持部材２４をカード体挿入部１２の片側のみに備えるものであってもよい。
【００８９】
更に本発明は、カード体Ｅがその厚み方向に凹んだ形状の係合凹部を備えるとともに、弾性保持部材をカード体挿入部の底板部又は天板部側に配置し、コネクタ高さ方向で弾性変形するようにし、係合凸部が係合凹部内にコネクタ高さ方向に向けて挿入されるようにしたものでもよく、その場合には、固定接点部材もカード体挿入部の底板部側又は天板部側に弾性接触片部と互いに対向するように配置される。
【符号の説明】
【００９０】
Ａ  メモリーカード
Ｅ  カード体
１０  カードコネクタ
１１  カードトレイ
１２  カード体挿入部
１３  ハウジング
１４  コンタクト
２０  トレイ本体
２２  カード収容部
２４  弾性保持部材
２５  係合凹部
２６  縮幅凹部
２７  広幅凹部
２８  段差部
３１  モールドケース
３２  シールドカバー
３３  回避窓
３５  天板部
３６  側板部
４０  固定片部
４１  弾性接触片部
４２  接続端子片部
５０  スライド摘み
５１  接合凹部
５２  接合凸部
５３  支持部
５４  当て止め部材
５５  スライド孔
５６  前縁蓋部
５７  水平梁部
５８  蓋本体
５９  露出孔
６０  引掛け部
６１  係止部材
７０  段差部
７１  爪導入部
８０  係合凸部
８１  係止部
８２  固定接点部材
８３  ディレイスイッチ
８４  被操作側スイッチコンタクト
８５  操作側スイッチコンタクト
８６  タイミングスイッチ
９０  部材本体部
９１  固定接点
９２  接続端子
９３  グランド接続端子
９４  弾性支持片部
９５  可動接触片部
９６  可動接点
【図１】
0005360444.tif 000002
【図２】
0005360444.tif 000003
【図３】
0005360444.tif 000004
【図４】
0005360444.tif 000005
【図５】
0005360444.tif 000006
【図６】
0005360444.tif 000007
【図７】
0005360444.tif 000008
【図８】
0005360444.tif 000009
【図９】
0005360444.tif 000010
【図１０】
0005360444.tif 000011